(57)【要約】【課題】ワイヤ径を小さくしたり、ワイヤの使用本数を少なくしたりすることが可能な落下防止部材および当該落下防止部材を備える照明装置を得る。【解決手段】落下防止部材３０は、支持部６１に支持される被支持部４０ａを一側に有するとともに、落下保護対象物２０に接続される被接続部４０ｂを他側に有するワイヤ４０を備えている。また、落下防止部材３０は、被支持部４０ａから被接続部４０ｂまでの途中に撓み部４１が形成されるようにワイヤ４０を撓ませた状態で、撓み部４１の一端部４１ａと他端部４１ｂとの相対移動が規制されるようにワイヤ４０に固定されるワイヤ保持部材５０を備えている。そして、ワイヤ保持部材５０は、当該ワイヤ保持部材５０の一部に他の部位よりも破断強度が弱くなるように形成されて、撓み部４１の一端部４１ａと他端部４１ｂとが相対移動できるように破断する脆弱部５４を有している。【選択図】図６
2018088325.tif 000002
【特許請求の範囲】
【請求項１】
支持部に支持された状態で落下保護対象物を吊り下げ保持することが可能な落下防止部材であって、
前記支持部に支持される被支持部を一側に有するとともに、前記落下保護対象物に接続される被接続部を他側に有するワイヤと、
前記被支持部から前記被接続部までの途中に撓み部が形成されるように前記ワイヤを撓ませた状態で、前記撓み部の一端部と他端部との相対移動が規制されるように前記ワイヤに固定されるワイヤ保持部材と、
を備え、
前記ワイヤ保持部材は、当該ワイヤ保持部材の一部に他の部位よりも破断強度が弱くなるように形成されて、前記撓み部の一端部と他端部とが相対移動できるように破断する脆弱部を有することを特徴とする落下防止部材。
【請求項２】
前記ワイヤ保持部材は、前記撓み部の一端部を固定する一端側固定部と、前記撓み部の他端部を固定する他端側固定部と、前記一端側固定部と前記他端側固定部とを連結する連結部と、を備えており、
前記連結部に前記脆弱部が形成されていることを特徴とする請求項１に記載の落下防止部材。
【請求項３】
前記脆弱部の破断強度が前記ワイヤの破断強度よりも弱いことを特徴とする請求項１または請求項２に記載の落下防止部材。
【請求項４】
高所に設置される照明装置本体と、
支持部に支持された状態で前記照明装置本体を吊り下げ保持することが可能な落下防止部材と、
を備え、
前記落下防止部材は、
前記支持部に支持される被支持部を一側に有するとともに、前記照明装置本体に接続される被接続部を他側に有するワイヤと、
前記被支持部から前記被接続部までの途中に撓み部が形成されるように前記ワイヤを撓ませた状態で、前記撓み部の一端部と他端部との相対移動が規制されるように前記ワイヤに固定されるワイヤ保持部材と、
を備え、
前記ワイヤ保持部材は、当該ワイヤ保持部材の一部に他の部位よりも破断強度が弱くなるように形成されて、前記撓み部の一端部と他端部とが相対移動できるように破断する脆弱部を有することを特徴とする照明装置。
【請求項５】
前記ワイヤ保持部材は、前記撓み部の一端部を固定する一端側固定部と、前記撓み部の他端部を固定する他端側固定部と、前記一端側固定部と前記他端側固定部とを連結する連結部と、を備えており、
前記連結部に前記脆弱部が形成されていることを特徴とする請求項４に記載の照明装置。
【請求項６】
前記脆弱部の破断強度が前記ワイヤの破断強度よりも弱いことを特徴とする請求項４または請求項５に記載の照明装置。
【発明の詳細な説明】
【技術分野】
【０００１】
本開示は、落下防止部材および当該落下防止部材を備える照明装置に関する。
【背景技術】
【０００２】
従来、照明装置として、天井等の高所に設置される照明装置本体を備えるものが知られている（例えば、特許文献１参照）。
【０００３】
この特許文献１では、照明装置本体にワイヤの一端が接続されている。そして、照明装置本体を天井等の高所に設置した状態で、ワイヤの他端を、例えば、天井等に設けられた支持部に支持させるようにしている。
【０００４】
こうすることで、何らかの要因（例えば、地震等）によって、照明装置本体が天井等の高所から外れた場合には、他端が支持部に支持されたワイヤによって照明装置本体が吊り下げ保持されるようにしている。
【０００５】
このように、上記特許文献１では、落下保護対象物である照明装置本体が、天井等の高所から外れて床等に落下してしまうのを、落下防止部材としてのワイヤによって防止できるようにしている。
【先行技術文献】
【特許文献】
【０００６】
【特許文献１】特開２００７−００６５４５号公報
【発明の概要】
【発明が解決しようとする課題】
【０００７】
この落下防止部材としてのワイヤは、ワイヤによって落下保護対象物を吊り下げ保持した際に加えられる衝撃によってワイヤが破断してしまうのを抑制するために、径を太くしたり、使用する本数を増加させたりするのが一般的である。しかしながら、コストや施工性の観点からは、径を小さくしたり、使用本数を少なくしたりすることが可能な構成とするのが好ましい。
【０００８】
そこで、本開示は、ワイヤ径を小さくしたり、ワイヤの使用本数を少なくしたりすることが可能な落下防止部材および当該落下防止部材を備える照明装置を得ることを目的とする。
【課題を解決するための手段】
【０００９】
本開示にかかる落下防止部材は、支持部に支持された状態で落下保護対象物を吊り下げ保持することが可能なものである。この落下防止部材は、前記支持部に支持される被支持部を一側に有するとともに、前記落下保護対象物に接続される被接続部を他側に有するワイヤを備えている。
【００１０】
また、落下防止部材は、前記被支持部から前記被接続部までの途中に撓み部が形成されるように前記ワイヤを撓ませた状態で、前記撓み部の一端部と他端部との相対移動が規制されるように前記ワイヤに固定されるワイヤ保持部材を備えている。
【００１１】
そして、前記ワイヤ保持部材は、当該ワイヤ保持部材の一部に他の部位よりも破断強度が弱くなるように形成されて、前記撓み部の一端部と他端部とが相対移動できるように破断する脆弱部を有している。
【００１２】
また、本開示にかかる照明装置は、高所に設置される照明装置本体と、支持部に支持された状態で前記照明装置本体を吊り下げ保持することが可能な落下防止部材と、を備えている。
【００１３】
また、前記落下防止部材は、前記支持部に支持される被支持部を一側に有するとともに、前記照明装置本体に接続される被接続部を他側に有するワイヤを備えている。さらに、落下防止部材は、前記被支持部から前記被接続部までの途中に撓み部が形成されるように前記ワイヤを撓ませた状態で、前記撓み部の一端部と他端部との相対移動が規制されるように前記ワイヤに固定されるワイヤ保持部材を備えている。
【００１４】
そして、前記ワイヤ保持部材は、当該ワイヤ保持部材の一部に他の部位よりも破断強度が弱くなるように形成されて、前記撓み部の一端部と他端部とが相対移動できるように破断する脆弱部を有している。
【発明の効果】
【００１５】
本開示によれば、ワイヤ径を小さくしたり、ワイヤの使用本数を少なくしたりすることが可能な落下防止部材および当該落下防止部材を備える照明装置を得ることができる。
【図面の簡単な説明】
【００１６】
【図１】本実施形態にかかる照明装置を天井に設置した状態を模式的に示す側面図である。
【図２】本実施形態にかかるワイヤ保持部材が撓み部の両端部を固定している状態を模式的に示す斜視図である。
【図３】本実施形態にかかるワイヤ保持部材が撓み部の両端部を固定している状態を模式的に示す断面図である。
【図４】本実施形態にかかるワイヤ保持部材を形成する円筒部材にワイヤの一部を挿通させた状態を模式的に示す斜視図である。
【図５】本実施形態にかかる照明装置本体が天井から外れた場合の動作を説明する図であって、ワイヤ保持部材の脆弱部が破断される前における、照明装置本体がワイヤによって吊り下げ保持された状態を模式的に示す側面図である。
【図６】本実施形態にかかる照明装置本体が天井から外れた場合の動作を説明する図であって、ワイヤ保持部材の脆弱部が破断された後における、照明装置本体がワイヤによって吊り下げ保持された状態を模式的に示す側面図である。
【発明を実施するための形態】
【００１７】
以下、本実施形態にかかる落下防止部材および照明装置について、図面を参照しながら詳細に説明する。なお、以下では、落下保護対象物としての照明装置本体に落下防止部材を設けた照明装置を例示する。
【００１８】
本実施形態にかかる照明装置１０は、図１に示すように、家屋等の建物の天井（高所）６０に設置される照明装置本体２０を備えている。
【００１９】
このような照明装置本体２０としては、従来公知の様々な種類のものを用いることができる。本実施形態では、照明装置本体２０として、内部に光源（図示せず）が収納された灯具本体２１と、灯具本体２１に固定されて、天井（高所）６０に取り付けられる固定アーム部２２と、を備えるものを例示している。
【００２０】
この照明装置本体２０は、固定アーム部２２を取付ボルト２３によって天井（高所）６０に取り付けることで、天井（高所）６０に設置されるようになっている。
【００２１】
なお、灯具本体２１の内部に収納される光源も、従来公知のものを用いることができ、例えば、発光素子としてのＬＥＤチップを用いて形成した光源とすることもできるし、蛍光灯などを用いて形成した光源とすることもできる。
【００２２】
そして、本実施形態では、天井（高所）６０に設置した照明装置本体２０が、何らかの要因（例えば、地震等）によって、天井（高所）６０から外れてしまった際に、当該照明装置本体２０が図示せぬ床等に落下してしまうのを抑制できるようにしている。すなわち、照明装置本体２０が天井（高所）６０から外れて図示せぬ床等に落下してしまうことを、落下防止部材３０によって防止できるようにしている。
【００２３】
本実施形態では、落下防止部材３０は、天井（高所）６０から外れてしまった照明装置本体２０を吊り下げ保持することが可能なワイヤ４０を備えている。このワイヤ４０としては、例えば、金属製のワイヤを用いることができる。
【００２４】
そして、このワイヤ４０の一側には、天井６０に設けられた支持部６１に支持される被支持部４０ａが形成されており、他側には、灯具本体２１（照明装置本体２０）に設けられた接続部２１ａに接続される被接続部４０ｂが形成されている。
【００２５】
かかる構成をしたワイヤ４０を用いた場合、照明装置１０は、例えば、下記の方法によって、天井（高所）６０に設置することができる。なお、下記に示す方法は一例に過ぎず、照明装置の設置方法は、下記の方法に限定されるものではない。
【００２６】
まず、灯具本体２１（照明装置本体２０）に設けられた接続部２１ａにワイヤ４０の被接続部４０ｂを接続する。なお、被接続部４０ｂの接続部２１ａへの接続も従来公知の方法で行うことができる。例えば、リング状の接続部２１ａにワイヤ４０の先端（被接続部４０ｂ）を挿通させて結びつけることで、被接続部４０ｂを接続部２１ａに接続させるようにすることができる。
【００２７】
次に、取付ボルト２３を用いて、ワイヤ４０が接続された照明装置本体２０を天井（高所）６０に取り付ける。
【００２８】
次に、天井６０に設けられた支持部６１にワイヤ４０の被支持部４０ａを支持させる。なお、被支持部４０ａを支持部６１に支持させる方法も従来公知の方法を用いることができる。例えば、被支持部４０ａに設けられたフックを支持部６１に設けられた係止部に引っ掛けることで、被支持部４０ａを支持部６１に支持させるようにすることができる。
【００２９】
こうすることで、何らかの要因（例えば、地震等）によって、照明装置本体２０が天井（高所）６０から外れたとしても、ワイヤ４０の一側を支持部６１に支持させた状態で、照明装置本体２０をワイヤ４０によって吊り下げ保持することができるようになる。すなわち、照明装置本体２０が、床等に落下してしまうのが防止された状態で天井（高所）６０に設置されることとなる。
【００３０】
なお、照明装置本体２０を天井（高所）６０に取り付ける前に、被接続部４０ｂが接続部２１ａに接続されたワイヤ４０の被支持部４０ａを、支持部６１に支持させるようにすることも可能である。こうすれば、照明装置本体２０の天井（高所）６０への設置作業中に、誤って照明装置本体２０を落としてしまったとしても、照明装置本体２０が床等に落ちてしまうのを抑制することができるようになる。
【００３１】
ところで、ワイヤ４０のみを用いて、照明装置本体２０が天井（高所）６０から外れて図示せぬ床等に落下してしまうことを防止できるようにする場合、ワイヤ４０によって照明装置本体２０を吊り下げ保持した際に加えられる衝撃によってワイヤ４０が破断してしまうのを抑制するために、ワイヤ４０の径を太くしたり、使用するワイヤ４０の本数を増加させたりする必要がある。このように、ワイヤ４０の径を太くすると、製造コストが増大してしまう。また、使用するワイヤ４０の本数を増加させると、製造コストが増大してしまう上、照明装置１０の設置工程が増加してしまい、施工性が悪化してしまう。
【００３２】
このように、コストや施工性の観点からは、ワイヤ４０の径を小さくしたり、ワイヤ４０の使用本数を少なくしたりすることが可能な構成とするのが好ましい。
【００３３】
そこで、本実施形態では、ワイヤ４０の径を小さくしたり、ワイヤ４０の使用本数を少なくしたりすることができるようにしている。すなわち、ワイヤ４０の径を太くしたり、使用するワイヤ４０の本数を増加させたりすることなく、ワイヤ４０によって照明装置本体２０を吊り下げ保持した際に加えられる衝撃によってワイヤ４０が破断してしまうのを抑制できるようにしている。
【００３４】
具体的には、落下防止部材３０が、ワイヤ４０を保持するワイヤ保持部材５０を備えるようにし、ワイヤ保持部材５０がワイヤ４０を保持した際に、ワイヤ４０が撓んだ状態を維持することができるようにした。すなわち、落下防止部材３０が、被支持部４０ａから被接続部４０ｂまでの途中に撓み部４１が形成されるようにワイヤ４０を撓ませた状態で、撓み部４１の一端部４１ａと他端部４１ｂとの相対移動が規制されるようにワイヤ４０に固定されるワイヤ保持部材５０を備えるようにした。
【００３５】
本実施形態では、ワイヤ保持部材５０として、撓み部４１の一端部４１ａおよび他端部４１ｂをそれぞれ挟み込んで固定するクランプ部材を用いたものを例示している。
【００３６】
このクランプ部材（ワイヤ保持部材）５０は、例えば、金属材料を用いて形成することができ、撓み部４１の一端部４１ａを固定する一端側固定部５１と、撓み部４１の他端部４１ｂを固定する他端側固定部５２と、を備えている。そして、一端側固定部５１と他端側固定部５２とが連結部５３によって連結されている。
【００３７】
このようなクランプ部材（ワイヤ保持部材）５０は、例えば、図４に示すような筒状部材５０Ａを用いて形成することができる。具体的には、まず、図４に示すように、筒状部材５０Ａの一側から、他側に撓み部４１が形成されるようにワイヤ４０の一部を挿入する。そして、かかる状態で、筒状部材５０Ａの中央部にカシメ加工を施すことで、筒状部材５０Ａ内に存在する撓み部４１の一端部４１ａと他端部４１ｂとを分離させつつ、一端部４１ａおよび他端部４１ｂを、それぞれ筒状部材５０Ａによって挟み込んで固定する。
【００３８】
こうすることで、撓み部４１の一端部４１ａが固定された一端側固定部５１と他端部４１ｂが固定された他端側固定部５２とが連結部５３によって連結されたクランプ部材５０が形成される（図２および図３参照）。このとき、一端側固定部５１と他端側固定部５２と連結部５３とが一体に形成されることとなる。
【００３９】
なお、クランプ部材（ワイヤ保持部材）５０は、樹脂材料を用いて形成することもできる。
【００４０】
このようなクランプ部材５０によってワイヤ４０を固定する（一端部４１ａおよび他端部４１ｂを固定する）ことで、撓み部４１の一端部４１ａと他端部４１ｂとの相対移動が規制されることとなって、ワイヤ４０が撓んだ状態を維持することができるようになる。
【００４１】
さらに、本実施形態では、クランプ部材（ワイヤ保持部材）５０の一部に他の部位よりも破断強度が弱くなる脆弱部５４が形成されるようにしている。
【００４２】
具体的には、筒状部材５０Ａを用いてクランプ部材５０の連結部５３を形成する際にカシメ加工を施すことで、連結部５３の破断強度が他の部位（一端側固定部５１および他端側固定部５２）の破断強度よりも弱くなるようにしている。すなわち、クランプ部材５０の連結部５３に脆弱部５４が形成されるようにしている。
【００４３】
こうすることで、照明装置本体２０の落下時にワイヤ４０に所定値以上の荷重が加えられた際には、脆弱部５４が破断するようにしている。そして、脆弱部５４の破断によって、撓み部４１の一端部４１ａと他端部４１ｂとが互いに離れる方向に相対移動するようにしている。なお、脆弱部５４が破断される荷重の値（所定の荷重値）は、照明装置本体２０の重さ、ワイヤ４０や撓み部４１の長さ等に基づいて適宜設定するのが好ましい。また、脆弱部５４の破断強度は、ワイヤ４０の破断強度よりも弱くなるように設定するのが好ましい。
【００４４】
このような落下防止部材３０を用いた場合も、上述の方法とほぼ同様の方法（ワイヤ４０の記載を落下防止部材３０に置き換えた方法）によって、照明装置１０を天井（高所）６０に設置させることができる。
【００４５】
かかる構成とした照明装置１０の照明装置本体２０が、何らかの要因（例えば、地震等）によって、天井（高所）６０から外れてしまった際には、照明装置本体２０は、下記のようにして落下防止部材３０に保持されることとなる。
【００４６】
まず、照明装置本体２０は、図５に示す状態となるまで下方に落下する。すなわち、照明装置本体２０は、天井６０から、ワイヤ４０の被支持部４０ａから被接続部４０ｂまでの長さから撓み部４１の長さを引いた距離だけ下方に落下することとなる。
【００４７】
そして、照明装置本体２０が、図５に示す状態となるまで下方に落下すると、ワイヤ４０には、照明装置本体２０の上記落下距離に応じた荷重（張力）が加えられることとなる。そして、ワイヤ４０に加えられた荷重（張力）によって、撓み部４１の一端部４１ａと他端部４１ｂが互いに離れる方向に引っ張られることとなる。
【００４８】
このように、撓み部４１の一端部４１ａと他端部４１ｂが互いに離れる方向に引っ張られると、その力が、一端部４１ａおよび他端部４１ｂを固定しているクランプ部材（ワイヤ保持部材）５０に伝達されて、クランプ部材（ワイヤ保持部材）５０は、脆弱部５４を基点として破断されることとなる。
【００４９】
そして、クランプ部材（ワイヤ保持部材）５０が脆弱部５４で破断されると、撓み部４１の一端部４１ａと他端部４１ｂとが互いに離れる方向に相対移動することとなり、照明装置本体２０が、撓み部４１の長さ分さらに下方に落下することとなる。すなわち、照明装置本体２０は、図６に示す状態となるまで下方に落下することとなる。このとき、ワイヤ４０には、照明装置本体２０の落下距離（撓み部４１の長さ）に応じた荷重（張力）が加えられることとなる。
【００５０】
ところで、照明装置本体２０を落下させた際にワイヤ４０に加えられる荷重（張力）は、照明装置本体２０の落下距離が大きくなるにつれて増大するものである。
【００５１】
そのため、ワイヤ４０のみを用いて、照明装置本体２０が天井（高所）６０から外れて図示せぬ床等に落下してしまうことを防止できるようにした場合、ワイヤ４０に加えられる荷重（張力）が大きくなってしまう。
【００５２】
これに対して、本実施形態のように、途中に撓み部４１が形成されるようにした状態で、ワイヤ４０をクランプ部材（ワイヤ保持部材）５０で固定するようにすれば、照明装置本体２０を２段階（多段階）で落下させることができるようになる。こうすることで、各段階でワイヤ４０に加えられる荷重（張力）を小さくすることができる上、クランプ部材（ワイヤ保持部材）５０の破断によって荷重（張力）を吸収することができるようになる。その結果、照明装置本体２０をワイヤ４０の長さ（被支持部４０ａから被接続部４０ｂまでの長さ）まで一気に落下させた場合と較べて、ワイヤ４０に加えられる荷重（張力）を小さくすることができる。
【００５３】
したがって、本実施形態の構成とすれば、ワイヤ４０の径を小さくしたり、ワイヤ４０の使用本数を少なくしたりすることができ、照明装置１０の製造コストを削減したり、照明装置１０を高所に設置する際の施工性をより向上させたりすることができるようになる。
【００５４】
以上説明したように、本実施形態にかかる落下防止部材３０は、支持部６１に支持される被支持部４０ａを一側に有するとともに、照明装置本体（落下保護対象物）２０に接続される被接続部４０ｂを他側に有するワイヤ４０を備えている。
【００５５】
また、落下防止部材３０は、被支持部４０ａから被接続部４０ｂまでの途中に撓み部４１が形成されるようにワイヤ４０を撓ませた状態で、撓み部４１の一端部４１ａと他端部４１ｂとの相対移動が規制されるようにワイヤ４０に固定されるクランプ部材（ワイヤ保持部材）５０を備えている。
【００５６】
そして、クランプ部材（ワイヤ保持部材）５０は、当該クランプ部材（ワイヤ保持部材）５０の一部に他の部位よりも破断強度が弱くなるように形成されて、撓み部４１の一端部４１ａと他端部４１ｂとが相対移動できるように破断する脆弱部５４を有している。
【００５７】
こうすれば、照明装置本体（落下保護対象物）２０を２段階（多段階）で落下させることができるようになる上、クランプ部材（ワイヤ保持部材）５０の破断によって荷重（張力）を吸収することができるようになる。その結果、ワイヤ４０に加えられる荷重（張力）を小さくすることができるようになって、ワイヤ４０の径を小さくしたり、ワイヤ４０の使用本数を少なくしたりすることができるようになる。
【００５８】
このように、本実施形態のような落下防止部材３０とすれば、製造コストを削減したり、落下防止部材３０を照明装置本体（落下保護対象物）２０や支持部６１に取り付ける際の施工性をより向上させたりすることができるようになる。
【００５９】
また、本実施形態では、クランプ部材（ワイヤ保持部材）５０は、撓み部４１の一端部４１ａを固定する一端側固定部５１と、撓み部４１の他端部４１ｂを固定する他端側固定部５２と、を備えている。また、クランプ部材（ワイヤ保持部材）５０は、一端側固定部５１と他端側固定部５２とを連結する連結部５３を備えている。そして、連結部５３に脆弱部５４が形成されるようにしている。
【００６０】
こうすれば、撓み部４１の一端部４１ａと他端部４１ｂが互いに離れる方向に引っ張られた際に、クランプ部材（ワイヤ保持部材）５０に加えられる荷重を一端部４１ａと他端部４１ｂとの間に位置する連結部５３に集中させることができるようになる。その結果、より確実にクランプ部材（ワイヤ保持部材）５０を破断させることができるようになる。
【００６１】
このとき、脆弱部５４の破断強度がワイヤ４０の破断強度よりも弱くなるようにすれば、ワイヤ４０が破断される前に、クランプ部材（ワイヤ保持部材）５０を破断させることができるようになる。すなわち、より確実にクランプ部材（ワイヤ保持部材）５０を破断させることができるようになる。
【００６２】
また、上記落下防止部材３０を備える照明装置１０とすることで、照明装置１０の製造コストを削減したり、照明装置１０を高所に設置する際の施工性をより向上させたりすることができるようになる。
【００６３】
このように、本実施形態によれば、ワイヤ４０の径を小さくしたり、ワイヤ４０の使用本数を少なくしたりすることが可能な落下防止部材３０および当該落下防止部材３０を備える照明装置１０を得ることができるようになる。
【００６４】
以上、本発明の好適な実施形態について説明したが、本発明は上記実施形態には限定されず、種々の変形が可能である。
【００６５】
例えば、上記実施形態では、屋内設置用の照明装置本体を例示したが、照明装置本体はこれに限られるものではなく、様々な照明装置本体に本発明を適用することができる。例えば、軒下（高所）等の屋外に設置される屋外用の照明装置本体とすることも可能である。
【００６６】
また、地面に設置されたポールの上部に設置される街灯に本発明を適用することも可能である。このような街灯に本発明を適用する場合、ポールの外面に支持部を設けるようにすることができる。また、ポールが筒状の場合には、ポールの内面に支持部を設けるようにすることができる。この場合、ポールから外れた照明装置本体は、被支持部から被接続部までの間のいずれかの部分で折り返された状態のワイヤに、吊り下げ保持されることとなる。
【００６７】
また、上記実施形態では、ほぼ全体を照射空間に露出させた状態で高所に設置される照明装置本体を例示したが、天井等の高所に埋め込まれる埋め込み式の照明装置本体に本発明を適用することも可能である。
【００６８】
また、上記実施形態では、連結部に脆弱部を設けたものを例示したが、一端側固定部や他端側固定部に脆弱部を設けるようにしてもよい。
【００６９】
また、上記実施形態では、落下保護対象物として、高所に設置される照明装置本体を例示したが、照明装置本体以外の落下保護対象物に本発明を適用することも可能である。例えば、軒下（高所）等の屋外に設置される防犯カメラ等の光学部材を落下保護対象物とすることができる。
【００７０】
また、ワイヤやワイヤ保持部材、その他細部のスペック（形状、大きさ、レイアウト等）も適宜に変更可能である。
【符号の説明】
【００７１】
１０  照明装置
２０  照明装置本体（落下保護対象物）
２１ａ  接続部
３０  落下防止部材
４０  ワイヤ
４０ａ  被支持部
４０ｂ  被接続部
４１  撓み部
４１ａ  一端部
４１ｂ  他端部
５０  クランプ部材（ワイヤ保持部材）
５１  一端側固定部
５２  他端側固定部
５３  連結部
５４  脆弱部
６０  天井（高所）
６１  支持部
【図１】
2018088325.tif 000003
【図２】
2018088325.tif 000004
【図３】
2018088325.tif 000005
【図４】
2018088325.tif 000006
【図５】
2018088325.tif 000007
【図６】
2018088325.tif 000008